(57)【特許請求の範囲】
【請求項１】
クライアント、ウェブサーバおよび広告サーバを含むオンライン広告提供システムにおいて、前記広告サーバによって遂行されるオンライン広告の提供方法であって、
予め設定された広告提供条件情報を提供し、前記広告提供条件情報に相応する広告提供要請情報を受信するステップ（ａ）−前記広告提供条件情報は前記オンライン広告が提供される複数のウェブサイトの情報を含む−；
前記広告提供条件情報および前記広告提供要請情報を利用して前記複数のウェブサイトに対する広告提供率を計算するステップ（ｂ）；および
前記クライアントから広告データ転送要請が受信される場合、前記広告提供率に応じて前記クライアントに広告データを転送するステップ（ｃ）を含み、
前記クライアントから受信される広告データ転送要請は、前記クライアントにおいて、前記ウェブサーバから受信したウェブ文書に含まれた広告露出位置情報を抽出し、前記抽出した広告露出位置情報と前記ウェブ文書が表示されるウェブブラウザのスクロール・バー位置情報を利用して、前記スクロール・バー位置情報が前記広告露出位置情報に相応する場合に前記広告サーバから受信されることを特徴とするオンライン広告の提供方法。
【請求項２】
クライアント、ウェブサーバおよび広告サーバを含むオンライン広告の提供システムにおいて、前記広告サーバによって遂行されるオンライン広告の提供方法であって、
予め設定された広告提供条件情報を提供し、前記広告提供条件情報に相応する広告提供要請情報を受信するステップ（ａ）−前記広告提供条件情報は前記オンライン広告が提供される複数のウェブサイトの情報を含む−；
前記広告提供条件情報および前記広告提供要請情報を利用して前記複数のウェブサイトに対する広告提供率を計算するステップ（ｂ）；および
前記クライアントから広告データ転送要請が受信される場合、前記広告提供率に応じて前記クライアントに広告データを転送するステップ（ｃ）を含み、
前記クライアントに広告データを転送することは、前記クライアントから受信したウェブ文書に含まれた広告露出位置情報の入力を受け、前記ウェブ文書が表示されるウェブブラウザのスクロール・バー位置情報の入力を受け、前記入力を受けたスクロール・バー位置情報が前記広告露出位置情報に相応する場合に前記クライアントに広告データを転送することを特徴とするオンライン広告の提供方法。
【請求項３】
前記ステップ（ａ）において、
前記広告提供条件情報および前記広告提供要請情報は、広告を提供しようとするウェブサイト、広告提供形態、広告提供時間情報のうちの少なくとも１つの情報を含むことを特徴とする、請求項１または２に記載のオンライン広告の提供方法。
【請求項４】
前記ステップ（ｂ）において、
前記広告提供率は、前記複数のウェブサイトにおける広告提供単価および広告提供回数情報を含んで計算されることを特徴とする、請求項１または２に記載のオンライン広告の提供方法。
【請求項５】
前記ステップ（ｃ）は、
前記広告データの転送回数をカウントし、前記カウントされた回数を利用して前記広告データの転送に対する費用を計算するステップをさらに含むことを特徴とする、請求項１または２に記載のオンライン広告の提供方法。
【請求項６】
オンライン広告の提供装置であって、
予め設定された広告提供条件情報を提供し、前記広告提供条件情報に相応して受信される広告提供要請情報を格納した広告登録部−前記広告提供条件情報は前記オンライン広告が提供される複数のウェブサイトの情報を含む−；
前記広告登録部に格納された前記広告提供条件情報および前記広告提供要請情報を利用して前記複数のウェブサイトに対する広告提供率を計算する広告提供情報生成部；および
前記広告提供情報生成部で計算された広告提供率に応じて、クライアントから広告データ転送要請が受信される場合に、前記クライアントに広告データを転送する広告提供部を含み、
前記クライアントから受信される広告データ転送要請は、前記クライアントにおいて、ウェブサーバから受信したウェブ文書に含まれた広告露出位置情報を抽出し、前記抽出した広告露出位置情報と前記ウェブ文書が表示されるウェブブラウザのスクロール・バー位置情報を利用して、前記スクロール・バー位置情報が前記広告露出位置情報に相応する場合に受信されることを特徴とするオンライン広告の提供装置。
【請求項７】
オンライン広告の提供装置であって、
予め設定された広告提供条件情報を提供し、前記広告提供条件情報に相応して受信される広告提供要請情報を格納した広告登録部−前記広告提供条件情報は前記オンライン広告が提供される複数のウェブサイトの情報を含む−；
前記広告登録部に格納された前記広告提供条件情報および前記広告提供要請情報を利用して前記複数のウェブサイトに対する広告提供率を計算する広告提供情報生成部；および
前記広告提供情報生成部で計算された広告提供率に応じて、クライアントから広告データ転送要請が受信される場合に、前記クライアントに広告データを転送する広告提供部を含み、
前記クライアントに広告データを転送することは、前記クライアントから受信したウェブ文書に含まれた広告露出位置情報の入力を受け、前記ウェブ文書が表示されるウェブブラウザのスクロール・バー位置情報の入力を受け、前記入力を受けたスクロール・バー位置情報が前記広告露出位置情報に相応する場合に前記クライアントに広告データを転送することを特徴とするオンライン広告の提供装置。
【請求項８】
前記広告提供条件情報および前記広告提供要請情報は、広告を提供しようとするウェブサイト、広告提供形態、広告提供時間情報のうちの少なくとも１つの情報を含むことを特徴とする、請求項６または７に記載のオンライン広告の提供装置。
【請求項９】
前記広告提供情報生成部は、前記広告提供率を、前記複数のウェブサイトにおける広告提供単価および広告提供回数情報を含んで計算することを特徴とする、請求項６または７に記載のオンライン広告の提供装置。
【請求項１０】
前記広告データの転送回数をカウントし、前記カウントされた回数を利用して前記広告データの転送に対する費用を計算する課金部をさらに含むことを特徴とする、請求項６または７に記載のオンライン広告の提供装置。
【請求項１１】
クライアント、ウェブサーバおよび広告サーバを含むオンライン広告の提供システムにおいて、前記広告サーバによって遂行されるオンライン広告の提供方法を実現するためのプログラムを記録した記録媒体であって、
予め設定された広告提供条件情報を提供し、前記広告提供条件情報に相応する広告提供要請情報を受信するステップ（ａ）−前記広告提供条件情報は前記オンライン広告が提供される複数のウェブサイトの情報を含む−；
前記広告提供条件情報および前記広告提供要請情報を利用して前記複数のウェブサイトに対する広告提供率を計算するステップ（ｂ）；および
前記クライアントから広告データ転送要請が受信される場合、前記広告提供率に応じて前記クライアントに広告データを転送するステップ（ｃ）を含み、
前記クライアントから受信される広告データ転送要請は、前記クライアントにおいて、前記ウェブサーバから受信したウェブ文書に含まれた広告露出位置情報を抽出し、前記抽出した広告露出位置情報と前記ウェブ文書が表示されるウェブブラウザのスクロール・バー位置情報を利用して、前記スクロール・バー位置情報が前記広告露出位置情報に相応する場合に前記広告サーバから受信されることを特徴とするオンライン広告の提供方法を実現するためのプログラムを記録した記録媒体。
【請求項１２】
クライアント、ウェブサーバおよび広告サーバを含むオンライン広告の提供システムにおいて、前記広告サーバによって遂行されるオンライン広告の提供方法を実現するためのプログラムを記録した記録媒体であって、
予め設定された広告提供条件情報を提供し、前記広告提供条件情報に相応する広告提供要請情報を受信するステップ（ａ）−前記広告提供条件情報は前記オンライン広告が提供される複数のウェブサイトの情報を含む−；
前記広告提供条件情報および前記広告提供要請情報を利用して前記複数のウェブサイトに対する広告提供率を計算するステップ（ｂ）；および
前記クライアントから広告データ転送要請が受信される場合、前記広告提供率に応じて前記クライアントに広告データを転送するステップ（ｃ）を含み、
前記クライアントに広告データを転送することは、前記クライアントから受信したウェブ文書に含まれた広告露出位置情報の入力を受け、前記ウェブ文書が表示されるウェブブラウザのスクロール・バー位置情報の入力を受け、前記入力を受けたスクロール・バー位置情報が前記広告露出位置情報に相応する場合に前記クライアントに広告データを転送することを特徴とするオンライン広告の提供方法を実現するためのプログラムを記録した記録媒体。
【発明の詳細な説明】
【技術分野】
【０００１】
本発明は、広告提供方法および装置に関し、より詳しくは、ウェブブラウザのような通信網連結プログラムの画面上に位置するスクロール・バーの位置情報を利用して、複数のウェブサイトに相異なる複数のオンライン広告が提供されるようにする方法とその装置に関する。
【背景技術】
【０００２】
オンラインと移動通信網などの通信網の発達に伴い、過去にはテレビやラジオのような放送媒体や、新聞、雑誌などの印刷媒体だけによって提供されていた広告が多様な他の形態で提供されている。
【０００３】
特に、通信網の発達によってオンラインと移動通信などのユーザが幾何級数的に増加しており、オンラインを通じた広告は大変重要な広告手段中の１つになっている。
【０００４】
このようなオンライン広告は、ウェブサイトのバナー広告のように所定領域に広告を表示したり、または特定ウェブサイトに接続する場合に、ポップアップウィンドウを通じて提供したりするなど、多様な形態で提供されている。
【０００５】
また、ユーザがオンラインで検索ウィンドウに入力する単語やウェブサイトの特定ウェブページに含まれた単語や文章などから特定単語、すなわちキーワードを抽出し、キーワードにマッチングする該当ウェブサイトの目録や広告コンテンツそのものなどの広告データを提供するなどといった多様な方法が用いられている。
【０００６】
一方、このようなオンライン広告は、該当広告がユーザに露出されたか否かや、該当オンライン広告を視聴したか否かを把握し難く、ウェブページ内に挿入されて提供される広告の場合、該当ウェブページ内で広告が位置するウェブページ部分までユーザがウェブページを見たか否かを把握することが難しいので、該当広告がユーザに露出されたか否かを把握し難いという問題点があった。
【０００７】
また、このようなウェブページ内に挿入されて提供されるオンライン広告の場合、ユーザに提供されるウェブページ内に広告が含まれて提供されるため、広告そのものがユーザの目を吸い寄せられないという問題点があった。
【０００８】
このような問題点を克服するために、本出願人は、スクロール・バーの位置情報を利用したオンライン広告の提供方法および装置について特許出願（韓国特許出願第１０−２００８−００７４３７５号）をした。
【０００９】
一方、このようなスクロール・バーの位置情報を利用したオンライン広告の提供方法による広告提供を複数の広告主が要請する場合、これを効果的に処理して広告が提供されるようにすることが求められる。
【００１０】
しかし、複数の広告主が広告提供を要請する場合、広告主の広告提供要請事項、例えば、広告提供形態、広告提供時間、広告提供単価などが相異なり、また、広告が提供されるウェブサイトやウェブページなどが非常に多様であるので、広告主の広告提供要請事項を反映しつつも、多様なウェブサイトやウェブページなどに広告主の広告を提供することが求められる。
【発明の概要】
【発明が解決しようとする課題】
【００１１】
上記のような従来の問題点を解決するために、本発明は、複数の広告主が広告提供を要請する場合、広告主の多様な広告提供要請事項を反映しつつも、多様なウェブサイトやウェブページなどに広告主の広告を提供できるスクロール・バーの位置情報を利用した複数のオンライン広告提供方法および装置を提案する。
【００１２】
本発明のまた他の目的は、以下の実施形態に対する説明によって容易に理解することができるはずである。
【課題を解決するための手段】
【００１３】
上記のような目的を達成するために、本発明の一側面によれば、オンライン広告の提供方法が提供される。
【００１４】
本発明の好ましい一実施形態によれば、クライアント、ウェブサーバおよび広告サーバを含むオンライン広告提供システムにおいて、前記広告サーバによって遂行されるオンライン広告提供方法であって、予め設定された広告提供条件情報を提供し、前記広告提供条件情報に相応する広告提供要請情報を受信するステップ（ａ）−前記広告提供条件情報は前記オンライン広告が提供される複数のウェブサイト情報を含む−；前記広告提供条件情報および前記広告提供要請情報を利用して前記複数のウェブサイトに対する広告提供率を計算するステップ（ｂ）；および前記クライアントから広告データ転送要請が受信される場合、前記広告提供率に応じて前記クライアントに広告データを転送するステップ（ｃ）を含み、前記クライアントから受信される広告データ転送要請は、前記クライアントが、前記ウェブサーバから受信したウェブ文書に含まれた広告露出位置情報を抽出し、前記抽出された広告露出位置情報と前記ウェブ文書が表示されるウェブブラウザのスクロール・バー位置情報を利用して、前記スクロール・バー位置情報が前記広告露出位置情報に相応する場合に前記広告サーバから受信することを特徴とするオンライン広告提供方法が提供される。
【００１５】
前記ステップ（ａ）において、前記広告提供条件情報および前記広告提供要請情報は、広告を提供しようとするウェブサイト、広告提供形態、広告提供時間情報のうちの少なくとも１つの情報を含むことができる。
【００１６】
前記ステップ（ｂ）において、前記広告提供率は、前記複数のウェブサイトにおける広告提供単価および広告提供回数情報を含んで計算することができる。
【００１７】
前記ステップ（ｃ）は、前記広告データの転送回数をカウントし、前記カウントされた回数を利用して前記広告データの転送に対する費用を計算するステップをさらに含むことができる。
【００１８】
本発明の好ましい他の一実施形態によれば、クライアント、ウェブサーバおよび広告サーバを含むオンライン広告提供システムにおいて、前記広告サーバによって遂行されるオンライン広告提供方法であって、予め設定された広告提供条件情報を提供し、前記広告提供条件情報に相応する広告提供要請情報を受信するステップ（ａ）−前記広告提供条件情報は前記オンライン広告が提供される複数のウェブサイト情報を含む−；前記広告提供条件情報および前記広告提供要請情報を利用して前記複数のウェブサイトに対する広告提供率を計算するステップ（ｂ）；および前記クライアントから広告データ転送要請が受信される場合、前記広告提供率に応じて前記クライアントに広告データを転送するステップ（ｃ）を含み、前記クライアントに広告データを転送することは、前記クライアントから受信したウェブ文書に含まれた広告露出位置情報の入力を受け、前記ウェブ文書が表示されるウェブブラウザのスクロール・バー位置情報の入力を受け、前記入力されたスクロール・バー位置情報が前記広告露出位置情報に相応する場合に前記クライアントに広告データを転送することを特徴とするオンライン広告提供方法が提供される。
【００１９】
前記ステップ（ａ）において、前記広告提供条件情報および前記広告提供要請情報は、広告を提供しようとするウェブサイト、広告提供形態、広告提供時間情報のうちの少なくとも１つの情報を含むことができる。
【００２０】
前記ステップ（ｂ）において、前記広告提供率は、前記複数のウェブサイトにおける広告提供単価および広告提供回数情報を含んで計算することができる。
【００２１】
前記ステップ（ｃ）は、前記広告データの転送回数をカウントし、前記カウントされた回数を利用して前記広告データの転送に対する費用を計算するステップをさらに含むことができる。
【００２２】
本発明の他の側面によれば、オンライン広告の提供装置が提供される。
【００２３】
本発明の好ましい一実施形態によれば、オンライン広告提供装置であって、予め設定された広告提供条件情報を提供し、前記広告提供条件情報に相応して受信される広告提供要請情報を格納した広告登録部−前記広告提供条件情報は前記オンライン広告が提供される複数のウェブサイト情報を含む−；前記広告登録部に格納された前記広告提供条件情報および前記広告提供要請情報を利用して前記複数のウェブサイトに対する広告提供率を計算する広告提供情報生成部；および前記広告提供情報生成部で計算された広告提供率に応じて、前記クライアントから広告データ転送要請が受信される場合、前記クライアントに広告データを転送する広告提供部を含み、前記クライアントから受信される広告データ転送要請は、前記クライアントが、前記ウェブサーバから受信したウェブ文書に含まれた広告露出位置情報を抽出し、前記抽出された広告露出位置情報と前記ウェブ文書が表示されるウェブブラウザのスクロール・バー位置情報を利用して、前記スクロール・バー位置情報が前記広告露出位置情報に相応する場合に前記広告サーバから受信されることを特徴とするオンライン広告提供装置が提供される。
【００２４】
前記広告提供条件情報および前記広告提供要請情報は、広告を提供しようとするウェブサイト、広告提供形態、広告提供時間情報のうちの少なくとも１つの情報を含むことができる。
【００２５】
前記広告提供情報生成部は、前記広告提供率を、前記複数のウェブサイトにおける広告提供単価および広告提供回数情報を含んで計算することができる。
【００２６】
前記広告データの転送回数をカウントし、前記カウントされた回数を利用して前記広告データの転送に対する費用を計算する課金部をさらに含むことができる。
【００２７】
本発明の好ましい他の一実施形態によれば、オンライン広告提供装置であって、予め設定された広告提供条件情報を提供し、前記広告提供条件情報に相応して受信される広告提供要請情報を格納した広告登録部−前記広告提供条件情報は前記オンライン広告が提供される複数のウェブサイト情報を含む−；前記広告登録部に格納された前記広告提供条件情報および前記広告提供要請情報を利用して前記複数のウェブサイトに対する広告提供率を計算する広告提供情報生成部；および前記広告提供情報生成部で計算された広告提供率に応じて、前記クライアントから広告データ転送要請が受信される場合、前記クライアントに広告データを転送する広告提供部を含み、前記クライアントに広告データを転送することは、前記クライアントから受信したウェブ文書に含まれた広告露出位置情報の入力を受け、前記ウェブ文書が表示されるウェブブラウザのスクロール・バー位置情報の入力を受け、前記入力されたスクロール・バー位置情報が前記広告露出位置情報に相応する場合に前記クライアントに広告データを転送することを特徴とするオンライン広告提供装置が提供される。
【００２８】
前記広告提供条件情報および前記広告提供要請情報は、広告を提供しようとするウェブサイト、広告提供形態、広告提供時間情報のうちの少なくとも１つの情報を含むことができる。
【００２９】
前記広告提供情報生成部は、前記広告提供率を、前記複数のウェブサイトにおける広告提供単価および広告提供回数情報を含んで計算することができる。
【００３０】
前記広告データの転送回数をカウントし、前記カウントされた回数を利用して前記広告データの転送に対する費用を計算する課金部をさらに含むことができる。
【００３１】
本発明のまた他の側面によれば、オンライン広告の提供方法を実現するためのプログラムを記録した記録媒体が提供される。
【００３２】
本発明の好ましい一実施形態によれば、クライアント、ウェブサーバおよび広告サーバを含むオンライン広告提供システムにおいて、前記広告サーバによって遂行されるオンライン広告提供方法を実現するためのプログラムを記録した記録媒体であって、予め設定された広告提供条件情報を提供し、前記広告提供条件情報に相応する広告提供要請情報を受信するステップ（ａ）−前記広告提供条件情報は前記オンライン広告が提供される複数のウェブサイト情報を含む−；前記広告提供条件情報および前記広告提供要請情報を利用して前記複数のウェブサイトに対する広告提供率を計算するステップ（ｂ）；および前記クライアントから広告データ転送要請が受信される場合、前記広告提供率に応じて前記クライアントに広告データを転送するステップ（ｃ）を含み、前記クライアントから受信される広告データ転送要請は、前記クライアントが、前記ウェブサーバから受信したウェブ文書に含まれた広告露出位置情報を抽出し、前記抽出された広告露出位置情報と前記ウェブ文書が表示されるウェブブラウザのスクロール・バー位置情報を利用して、前記スクロール・バー位置情報が前記広告露出位置情報に相応する場合に前記広告サーバから受信されることを特徴とするオンライン広告提供方法を実現するためのプログラムを記録した記録媒体が提供される。
【００３３】
前記ステップ（ａ）において、前記広告提供条件情報および前記広告提供要請情報は、広告を提供しようとするウェブサイト、広告提供形態、広告提供時間情報のうちの少なくとも１つの情報を含むことができる。
【００３４】
前記ステップ（ｂ）において、前記広告提供率は、前記複数のウェブサイトにおける広告提供単価および広告提供回数情報を含んで計算することができる。
【００３５】
前記ステップ（ｃ）は、前記広告データの転送回数をカウントし、前記カウントされた回数を利用して前記広告データの転送に対する費用を計算するステップをさらに含むことができる。
【００３６】
本発明の好ましい他の一実施形態によれば、クライアント、ウェブサーバおよび広告サーバを含むオンライン広告提供システムにおいて、前記広告サーバによって遂行されるオンライン広告提供方法を実現するためのプログラムを記録した記録媒体であって、予め設定された広告提供条件情報を提供し、前記広告提供条件情報に相応する広告提供要請情報を受信するステップ（ａ）−前記広告提供条件情報は前記オンライン広告が提供される複数のウェブサイト情報を含む−；前記広告提供条件情報および前記広告提供要請情報を利用して前記複数のウェブサイトに対する広告提供率を計算するステップ（ｂ）；および前記クライアントから広告データ転送要請が受信される場合、前記広告提供率に応じて前記クライアントに広告データを転送するステップ（ｃ）を含み、前記クライアントに広告データを転送することは、前記クライアントが受信したウェブ文書に含まれた広告露出位置情報の入力を受け、前記ウェブ文書が表示されるウェブブラウザのスクロール・バー位置情報の入力を受け、前記入力されたスクロール・バー位置情報が前記広告露出位置情報に相応する場合に前記クライアントに広告データを転送することを特徴とするオンライン広告提供方法を実現するためのプログラムを記録した記録媒体が提供される。
【００３７】
前記ステップ（ａ）において、前記広告提供条件情報および前記広告提供要請情報は、広告を提供しようとするウェブサイト、広告提供形態、広告提供時間情報のうちの少なくとも１つの情報を含むことができる。
【００３８】
前記ステップ（ｂ）において、前記広告提供率は、前記複数のウェブサイトにおける広告提供単価および広告提供回数情報を含んで計算することができる。
【００３９】
前記ステップ（ｃ）は、前記広告データの転送回数をカウントし、前記カウントされた回数を利用して前記広告データの転送に対する費用を計算するステップをさらに含むことができる。
【発明の効果】
【００４０】
以上で説明したように、本発明によるスクロール・バーの位置情報を利用した複数のオンライン広告の提供方法および装置によれば、複数の広告主が広告提供を要請する場合、広告主の多様な広告提供要請事項を反映しつつも、多様なウェブサイトやウェブページなどに広告主の広告を提供できる長所がある。
【図面の簡単な説明】
【００４１】
【図１】本発明の好ましい一実施形態によるスクロール・バーの位置情報を利用した複数のオンライン広告の提供方法が適用されるシステムを構成する要素を概念的に示す図である。
【図２】本発明の好ましい一実施形態によるスクロール・バーの位置情報を利用した複数のオンライン広告の提供方法が適用される順序を示すフローチャートである。
【図３】本発明の好ましい一実施形態によるスクロール・バーの位置情報を利用した複数のオンライン広告の提供方法の適用のために利用することができるウェブサイトの広告露出数情報を記録したテーブルを例示した例示図である。
【図４】本発明の好ましい一実施形態によるスクロール・バーの位置情報を利用した複数のオンライン広告の提供方法の適用のために利用することができる広告主の広告提供要請サイト情報を記録したテーブルを例示した例示図である。
【図５】本発明の好ましい一実施形態によるスクロール・バーの位置情報を利用した複数のオンライン広告の提供が広告サーバでなされる場合の広告サーバの構成を例示して示す図である。
【図６】本発明の好ましい一実施形態によって用いられるスクロール・バーの位置情報を利用したオンライン広告の提供方法が実現される順序を示すフローチャートである。
【図７】本発明の好ましい一実施形態によって用いられるスクロール・バーの位置情報を利用したオンライン広告の提供方法が実現される順序を例示によって示す例示図である。
【図８】本発明の好ましい一実施形態によって用いられるスクロール・バーの位置情報を利用したオンライン広告の提供を遂行する広告提供部の構成を例示して示す図である。
【発明を実施するための形態】
【００４２】
本発明は、多様な変更を加えることができ、色々な実施形態を有し得るところ、特定の実施形態を図面に例示し、詳細な説明にて詳しく説明する。但し、これは、本発明を特定の実施形態に限定するものではなく、本発明の思想および技術範囲に含まれる全ての変更、均等物乃至代替物を含むものとして理解しなければならない。
【００４３】
各図面を説明する際、類似する参照符号を類似する構成要素に付した。本発明を説明するにおいて関連した公知技術に対する具体的な説明が本発明の要旨を濁す恐れがあると判断される場合にはその詳細な説明は省略する。
【００４４】
第１、第２などの用語は多様な構成要素を説明するのに用いられるが、前記構成要素は前記用語によって限定されてはいけない。前記用語は１つの構成要素を他の構成要素から区別する目的のみに用いられる。
【００４５】
例えば、本発明の権利範囲を逸脱せず、第１構成要素は第２構成要素として命名されることができ、同様に第２構成要素も第１構成要素と命名されることができる。
【００４６】
「および／または」という用語は、複数の関連の記載された項目の組み合わせまたは複数の関連の記載された項目のうちのいずれかの項目を含む。
【００４７】
ある構成要素が他の構成要素に「連結されて」いるとか、「接続されて」いると言及された時には、その他の構成要素に直接に連結されているかまたは接続されていてもよいが、その間に他の構成要素が介在することができるということを理解しなければならない。
【００４８】
その反面、ある構成要素が他の構成要素に「直接に連結されて」いるとか、「直接に接続されて」いると言及された時には、その間に他の構成要素が介在しないものとして理解しなければならない。
【００４９】
本出願で用いられる用語は単に特定の実施形態を説明するために用いられるものであって、本発明を限定する意図ではない。
【００５０】
単数の表現は、文脈上、明らかに異に意味しない限り、複数の表現を含む。本出願において、「含む」または「有する」などの用語は、明細書上に記載された特徴、数字、ステップ、動作、構成要素、部品またはこれらを組み合わせたものが存在することを指定しようとするものであって、１つまたはそれ以上の他の特徴や数字、ステップ、動作、構成要素、部品またはこれらを組み合わせたものの存在または付加可能性を予め排除しないものとして理解しなければならない。
【００５１】
異に定義されない限り、技術的とか科学的な用語を含んで、ここで用いられる全ての用語は、本発明が属する技術分野で通常の知識を有した者によって一般的に理解されるものと同一の意味を有する。
【００５２】
一般的に用いられる辞典に定義されているような用語は、関連技術の文脈上で有する意味と一致する意味を有するものとして解釈されるべきであり、本出願で明らかに定義しない限り、理想的とか過度に形式的な意味として解釈されない。
【００５３】
以下、添付図面を参照して、本発明の好ましい実施形態を詳細に説明するが、図面符号に関係なく同一であるか、対応する構成要素は同一の参照番号を付し、これに対する重複する説明は省略する。
【００５４】
先ず、図１を参照して、本発明の好ましい一実施形態によるスクロール・バーの位置情報を利用した複数のオンライン広告の提供方法が適用されるシステムを構成する要素について説明する。
【００５５】
図１は、本発明の好ましい一実施形態によるスクロール・バーの位置情報を利用した複数のオンライン広告提供方法が適用されるシステムを構成する要素を概念的に示す図である。
【００５６】
図１に示すように、本発明の好ましい一実施形態によるオンライン広告の提供方法が適用されるシステムは、ユーザ１００、ウェブサイト（ｗｅｂ  ｓｉｔｅ）１１０、広告サーバ１２０および広告主１３０を含むことができる。
【００５７】
図１においては、概念的にユーザ１００として示したが、ユーザ１００、ウェブサイト１１０および広告主１３０は、クライアント（ｃｌｉｅｎｔ）、サーバ（ｓｅｒｖｅｒ）のような装置を示し得るということは明らかである。
【００５８】
例えば、ユーザ１００は受信したウェブ文書と広告データを閲覧する者であり、且つ、ユーザパーソナルコンピューター（ＰＣ）と携帯電話、個人携帯端末（ＰＤＡ：Ｐｅｒｓｏｎａｌ  Ｄｉｇｉｔａｌ  Ａｓｓｉｓｔａｎｔ）などの無線端末などのような装置を示すことができる。
【００５９】
以下では、説明の便宜のため、ユーザ１００とそのユーザが用いる装置を区分せず、ユーザ１００と命名することにする。
【００６０】
一方、ユーザ１００は、通信網１４０を通じてウェブサイト１１０と広告サーバ１２０に連結され、ウェブサイト１１０から提供されるウェブページのようなウェブ文書、および広告サーバ１２０から提供される広告データを受信することができる。
【００６１】
ユーザ１００、より好ましくはユーザ１００の装置には、ウェブサイト１１０に接続できるようにするウェブブラウザ（ｗｅｂ  ｂｒｏｗｓｅｒ）（図示せず）と広告データを再生できるアプリケーション（ａｐｐｌｉｃａｔｉｏｎ）（図示せず）とが含まれることができ、このようなウェブブラウザとアプリケーションは、ユーザ１００の装置にプログラムの形態で設置されることができる。
【００６２】
このようなユーザ１００の装置は、通信機能を備えてウェブサイト１１０と広告サーバ１２０に接続されることができ、受信した広告データを再生できるプログラムの設置が可能であり、再生される広告データが出力されるディスプレイ画面を含む装置であれば、特に制限されない。
【００６３】
一方、本発明における広告データは、テキスト（ｔｅｘｔ）、イメージ（ｉｍａｇｅ）および動画の形態で提供される広告だけでなく、音声の形態で提供される広告、そしてこのようなテキスト、イメージおよび動画と各々または共に音声が提供される形態など、あらゆる形態と種類の広告データを含むことができるということは明らかである。
【００６４】
ユーザ１００は、通信網１４０を通じてウェブサイト１１０および広告サーバ１２０と連結され、本発明における通信網１４０は、オンラインおよび移動通信網を含むだけでなく、オンラインは、ＴＣＰ／ＩＰプロトコルおよびその上位階層に存在する色々なサービス、すなわち、ＨＴＴＰ（Ｈｙｐｅｒ  Ｔｅｘｔ  Ｔｒａｎｓｆｅｒ  Ｐｒｏｔｏｃｏｌ）、Ｔｅｌｎｅｔ、ＦＴＰ（Ｆｉｌｅ  Ｔｒａｎｓｆｅｒ  Ｐｒｏｔｏｃｏｌ）、ＤＮＳ（Ｄｏｍａｉｎ  Ｎａｍｅ  Ｓｙｓｔｅｍ）、ＳＭＴＰ（Ｓｉｍｐｌｅ  Ｍａｉｌ  Ｔｒａｎｓｆｅｒ  Ｐｒｏｔｏｃｏｌ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ＮＦＳ（Ｎｅｔｗｏｒｋ  Ｆｉｌｅ  Ｓｅｒｖｉｃｅ）などを提供する全世界的な開放型ネットワーク構造を全て含む。
【００６５】
また、移動通信網は、基地局（ＢＳ：Ｂａｓｅ  Ｓｔａｔｉｏｎ）、移動電話交換局（ＭＴＳＯ：Ｍｏｂｉｌｅ  Ｔｅｌｅｐｈｏｎｅ  Ｓｗｉｔｃｈｉｎｇ  Ｏｆｆｉｃｅ）、ホーム・ロケーション・レジスタ（ＨＬＲ：Ｈｏｍｅ  Ｌｏｃａｔｉｏｎ  Ｒｅｇｉｓｔｅｒ）の以外に、無線パケットデータの送受信を可能にするアクセスゲートウェイ（Ａｃｃｅｓｓ  Ｇａｔｅｗａｙ）、ＰＤＳＮ（Ｐａｃｋｅｔ  Ｄａｔａ  Ｓｅｒｖｉｎｇ  Ｎｏｄｅ）などのような構成要素をさらに含む。
【００６６】
ウェブサイト１１０は、ユーザ１００に広告が提供されるウェブページ（ｗｅｂ  ｐａｇｅ）のようなウェブ文書を提供する。
【００６７】
広告サーバ１２０は、ウェブサイト１１０から提供するウェブページ内のタグ情報に応じて広告データ転送信号を受信する場合、予め設定された広告データをユーザ１００に転送する。
【００６８】
一方、広告サーバ１２０は、ユーザ１００に転送される広告データが格納されるデータベース（ｄａｔａｂａｓｅ）と連結されることができ、ユーザ１００に転送された広告データは、ユーザ１００に設置されたアプリケーション（ａｐｐｌｉｃａｔｉｏｎ）で再生することができる。
【００６９】
広告主１３０は、ウェブサイト１１０を通じて提供されるウェブページ内に広告提供のために広告サーバ１２０に広告提供要請事項を含む広告提供を要請する。
【００７０】
一方、図１においては、概念的に広告主１３０として示したが、広告主１３０は、このような広告提供要請を、通信網１４０を通じて別途の装置を利用して遂行できるということは前述したユーザ１００と同様である。
【００７１】
図１においては、説明の便宜のために各々の構成要素を１つずつのみ示したが、このような構成要素は複数が存在してもよい。
【００７２】
このようなオンライン広告提供システムにおいて、ウェブサイト１１０から提供されるウェブページを通じて広告を提供しようとする広告主１３０が広告サーバ１２０に接続して広告提供を要請する場合、広告主１３０の広告提供要請事項に応じて広告が提供されるようにする。
【００７３】
しかし、複数の広告主１３０と複数のウェブサイト１１０が存在し、広告が提供される条件と広告主１３０の広告提供要請事項がそれぞれ違うので、これを全て反映して広告を提供することは難しい。
【００７４】
本発明においては、このような複数の広告主１３０が複数のウェブサイト１１０にウェブページを通じて広告を提供しようとする場合、広告サーバ１２０を通じて、予め設定された広告提供条件情報を広告主１３０に提供し、広告主１３０が入力する広告要請情報に応じて広告を提供する。
【００７５】
一方、予め設定された広告提供条件情報は、本発明に係るスクロール・バーの位置を利用して提供される広告に対し、各々のウェブサイト１１０の広告露出数とこれに応じて設定された広告提供単価情報とを含むことができる。
【００７６】
また、このような広告提供条件に応じて広告主１３０が広告を提供しようとするウェブサイト１１０および広告提供形態、広告提供時間などを含む広告提供要請情報を登録すれば、広告サーバ１２０から提供される広告提供条件と広告主が登録する広告提供要請情報に応じて各々のウェブサイト１１０に広告が提供される。
【００７７】
以下では、図２を参照して、本発明の好ましい一実施形態によるスクロール・バーの位置情報を利用した複数のオンライン広告の提供方法が適用される順序を説明する。
【００７８】
図２は、本発明の好ましい一実施形態によるスクロール・バーの位置情報を利用した複数のオンライン広告の提供方法が適用される順序を示すフローチャートである。
【００７９】
図２に示すように、本発明の好ましい一実施形態によるスクロール・バーの位置情報を利用した複数のオンライン広告の提供方法は、先ず、広告主１３０が広告サーバ１２０に接続して所望の広告を登録する（Ｓ２００）。
【００８０】
広告登録は、前述したように、広告主１３０が提供を望む広告データそのものの登録だけでなく、広告提供要請情報を含むことができ、広告提供要請情報は、例えば、広告提供を望むウェブサイト１１０、広告提供形態、広告提供時間の選択など、多様な情報を含むことができるということは前述した通りである。
【００８１】
広告提供要請情報に含まれる広告提供形態は、例えば、単純なテキストやイメージ形態の広告を提供するか、でなければ、動画形態の広告を提供するかを選択する情報である。
【００８２】
また、広告提供時間の選択は、広告主１３０が実際に広告提供したがる時間を選択する情報である。
【００８３】
一方、複数の広告主１３０から広告提供要請情報が受信される場合、例えば、同一のウェブサイト１１０に同一の時間に同一の広告提供形態の広告提供要請があり得る。
【００８４】
この場合、本発明においては、広告提供要請情報と広告提供条件情報を利用して広告提供率を計算し、広告提供率に応じて広告提供要請を分配する（Ｓ２０２）。
【００８５】
図３は、本発明の好ましい一実施形態によるスクロール・バーの位置情報を利用したオンライン広告の提供方法の適用のために利用することができるウェブサイトの広告露出数情報を記録したテーブルを例示した例示図である。
【００８６】
図３に例示したように、各々のウェブサイト１１０別に最大広告露出数と最小広告露出数、そして各々のウェブサイト１１０別の平均広告露出数情報を算定して広告提供条件情報に含ませることができ、このような広告露出数情報に応じて予め広告提供単価を設定することができる。
【００８７】
図３の例示において、Ａ．ｃｏｍサイトの最大広告露出数、最小広告露出数および平均広告露出数が全て最も高いため、一般的に広告主１３０は皆Ａ．ｃｏｍサイトを広告提供のために最優先に選択しようとするので、Ａ．ｃｏｍサイトの１回の広告露出単価を最も高く設定することが可能であるが、これに限定されるものではない。
【００８８】
一方、Ａ．ｃｏｍサイトの広告提供単価を最も高く設定する場合、相対的に広告提供単価の低いＢ．ｃｏｍサイトに広告を提供しようとする広告主１３０も存在する。
【００８９】
したがって、このような広告提供条件情報を広告主１３０に予め提供し、広告提供条件情報に相応する広告提供要請情報を広告主１３０から受信することができる。
【００９０】
図４は、本発明の好ましい一実施形態によるスクロール・バーの位置情報を利用したオンライン広告の提供方法の適用のために利用することができる広告主の広告提供要請ウェブサイト情報を記録したテーブルを例示した例示図である。
【００９１】
図４に例示したように、各々の広告主１３０は、広告サーバ１２０を通じて提供される広告提供条件情報に応じて、広告提供を要請しようとするウェブサイト１１０を選択することができる。
【００９２】
一方、このような広告提供条件情報と広告主１３０から受信した広告提供要請情報を利用して計算される広告提供率は多様な方法で計算することができる。
【００９３】
例えば、広告主１はＡ．ｃｏｍでの５回の広告露出を要請し、広告主２はＡ．ｃｏｍでの２０回の広告露出を要請することができる。
【００９４】
しかし、Ａ．ｃｏｍが実際に提供可能な広告の露出回数が２０回であれば、最も多い広告提供を要請して、事実上、最も多い広告費を執行する広告主２だけがＡ．ｃｏｍでの２０回の広告提供がなされるようにするか、またはその比率に応じて、広告主１は４回、広告主２は１６回の広告提供がなされるように設定することも可能である。
【００９５】
このような広告提供率は、設定有無に多様な方法で計算して適用できることは明らかであり、広告提供条件情報とこれに相応して広告主１３０から受信した広告提供要請情報を利用して計算し、各々のウェブサイト１１０に広告提供のために適用できる場合であれば、特に制限されない。
【００９６】
また、前述した例示においては、広告提供率が広告提供回数だけを示すものとして例示したが、広告提供形態、広告提供時間などの多様な情報に応じて多様に計算して設定することができる。
【００９７】
一方、このような広告提供率に応じて広告提供回数が分配され、実際に各々のウェブサイト１１０において広告提供がなされる場合に広告露出数をカウントする（Ｓ２０４）。
【００９８】
また、カウントされた広告露出数に応じて広告金額の課金または精算がなされる（Ｓ２０６）。
【００９９】
課金は後払い制、精算は先払い制である場合を示す用語として一般的に使われるが、本明細書は、広告を提供し、実際の広告提供露出数に応じて広告提供金額を請求する場合や、広告提供金額が先に支給され、先払い金も実際の広告提供露出数に応じて計算される広告の提供がなされた場合も実際の費用支払いが発生するので、全て課金という用語を使用することにする。
【０１００】
このような本発明の好ましい一実施形態によるスクロール・バーの位置情報を利用したオンライン広告の提供方法によれば、複数の広告主１３０が広告提供条件情報に相応する広告提供要請情報を広告サーバ１２０に登録すれば、広告提供率に応じて、各々のウェブサイト１１０において広告の提供がなされ、実際の広告がユーザ１００に露出された回数に応じて課金も行われるようになる。
【０１０１】
一方、本発明によるスクロール・バーの位置情報を利用した複数のオンライン広告の提供方法を例示を通じて説明する。
【０１０２】
先ず、図３と図４の例示のように、Ａ．ｃｏｍ、Ｂ．ｃｏｍ、Ｃ．ｃｏｍなどの３個のサイトを通じて、本発明によるスクロール・バーの位置情報を利用したオンライン広告の提供がなされると仮定し、広告主１、２、３が本発明による広告サーバ１２０に接続して広告提供を要請する場合を仮定する。
【０１０３】
一方、このような各々のウェブサイト１１０において、広告露出数情報は、図３に例示したように、予めカウントし計算して格納される。
【０１０４】
説明の便宜のため、ウェブサイト１１０における広告露出数情報という用語を使用したが、必要な場合、ウェブサイト１１０から提供するウェブページ別に広告露出数をカウントし、その情報を格納して、広告主１３０に提供することもできる。
【０１０５】
一方、図４の例示のように、広告主１がＡ．ｃｏｍとＣ．ｃｏｍというウェブサイトに広告提供を要請し、広告主２がＢ．ｃｏｍとＣ．ｃｏｍというウェブサイトに広告提供を要請し、広告主３がＡ．ｃｏｍとＢ．ｃｏｍというウェブサイトに広告提供を要請した場合を仮定する。
【０１０６】
一方、ウェブサイトＡ．ｃｏｍが広告露出数が最も高いため、例えば、広告が１回露出される場合ごとに課金をすると仮定する。
【０１０７】
また、広告主１がＡ．ｃｏｍでの１０回の広告露出を要請し、Ｃ．ｃｏｍというウェブサイトでの５回の広告提供を要請した場合、実際の広告提供は、Ａ．ｃｏｍでは１０回の広告が露出されたが、Ｃ．ｃｏｍというウェブサイトでは広告が１回だけ露出される。
【０１０８】
この場合、Ｃ．ｃｏｍというウェブサイトでなされていない広告露出数である４回を、例えば、Ａ．ｃｏｍでなされるように広告主１の広告をＡ．ｃｏｍにさらに提供されるようにすることが可能である。
【０１０９】
このような広告主１の広告をＡ．ｃｏｍにさらに提供されるようにすることも、前述したように、広告提供条件情報およびこれに相応して広告主１３０が入力する広告提供要請情報を利用して計算した広告提供率に応じてなされる。
【０１１０】
一方、このような広告提供単価およびこれに応じた広告提供金額は、ウェブサイト１１０での広告露出数、広告提供形態、広告提供時間などに応じて多様に設定することができる。
【０１１１】
例えば、前述した例示において、ウェブサイトＡ．ｃｏｍの広告露出数が最も高いため、広告単価は相対的に高くなり得る。
【０１１２】
本発明においては、このような多様な広告提供条件と広告主１３０の広告提供要請事項を反映して、実際にユーザ１００に広告が露出される場合にだけ課金されるようにし、また、広告主１３０が要請する広告提供要請事項に応じて各々のウェブサイト別に広告を分配して提供するようにすることによって、広告主に確実な広告提供の効果を保証できるようになる。
【０１１３】
一方、このような前述した本発明によるオンライン広告提供方法および課金方法は、プログラムで実現され、コンピュータで読み取りできる記録媒体（ＣＤ−ＲＯＭ、ＲＡＭ、ＲＯＭ、フロッピー（登録商標）ディスク、ハードディスク、光磁気ディスクなど）に格納することができる。
【０１１４】
図５は、本発明の好ましい一実施形態によるスクロール・バーの位置情報を利用した複数のオンライン広告の提供が広告サーバでなされる場合の広告サーバの構成を例示して示す図である。
【０１１５】
図５に示すように、本発明の好ましい一実施形態による広告サーバ１２０は、広告登録部５００、広告提供部５１０、広告提供情報生成部５２０および課金部５３０を含むことができる。
【０１１６】
広告登録部５００は、予め設定された広告提供条件情報に応じて、広告主１３０が接続して入力する広告提供要請情報を格納する。
【０１１７】
広告提供部５１０は、ユーザ１００に広告データを転送し、広告提供情報生成部５２０は、予め設定された広告提供条件情報と広告主１３０が入力した広告提供要請情報に応じて計算される広告提供率を計算する。
【０１１８】
広告提供情報生成部５２０で計算された広告提供率に応じて、広告提供部５１０はユーザ１００に広告データを転送する。
【０１１９】
課金部５３０は、ユーザ１００に広告が提供された回数、すなわち、広告露出回数情報を利用して広告提供に対する金額を計算する。また、広告主１００に広告執行金額を請求する請求書を自動で発送する機能などが追加されてもよい。
【０１２０】
一方、本発明のようなオンライン広告提供方法が実現されるためには、広告の提供がユーザ１００に正確に露出されることが求められ、このような要求を充足するために、本発明においては、前述したように、スクロール・バーの位置情報を利用してユーザ１００に広告が表示されるようにする。
【０１２１】
スクロール・バーの位置情報を利用してユーザ１００に広告が表示されるようにすることは、ウェブページ内に広告が提供されるようにする位置が予め決められて設定され、ウェブブラウザのスクロール・バーが予め設定された位置にある場合、該当情報が広告サーバ１２０に送られ、広告サーバ１２０が広告データを転送する。
【０１２２】
ユーザ１００側であるクライアント１００が、ウェブブラウザ上のスクロール・バーの位置情報だけを広告サーバ１２０に転送し、広告サーバ１２０は、ウェブサイト１１０またはクライアント１００から受信できるウェブページ内の広告が提供されるようにする位置情報を利用して、スクロール・バーの位置が、広告が提供される位置に該当する場合に、広告データを転送する。
【０１２３】
このような広告が提供される位置に対する情報を、以下では広告露出位置情報といい、このような広告露出位置情報は、ウェブ文書内にタグを付加し、付加されたタグを利用して、広告露出位置情報の抽出および広告データの送受信がなされるようにすることが可能である。
【０１２４】
一方、クライアント１００が、ウェブブラウザ上のスクロール・バーの位置情報とウェブページ内の広告露出位置情報を利用して広告提供有無を判断し、広告サーバ１２０に広告データの転送を要請し、広告サーバ１２０は、このような要請に応じて、クライアント１００に広告データを転送することが可能である。
【０１２５】
また、クライアント１００が、スクロール・バー位置情報またはウェブページ内の広告露出位置情報を広告サーバ１２０に転送し、広告サーバ１２０は、広告露出位置情報の抽出または受信を行い、スクロール・バー位置情報との比較を通じた広告データの送信がなされるようにすることが可能である。
【０１２６】
一方、広告露出位置情報の抽出およびスクロール・バー位置情報との比較をクライアント１００において行われる場合、クライアント１００には、このような機能を遂行するための広告モジュール（図示せず）が設置されることができ、このような広告モジュールは、ウェブサーバ１１６が提供するウェブページからオブジェクトタグ（Ｏｂｊｅｃｔ  Ｔａｇ）を通じて自動でクライアント１００にダウンロードされるものであって、ＡｃｔｉｖｅＸコントロール（ＡｃｔｉｖｅＸ  Ｃｏｎｔｒｏｌ）形態で設置されることができる。
【０１２７】
また、広告モジュール（図示せず）は、ウェブブラウザで動作できるスクリプト（ｓｃｒｉｐｔ）の形態でクライアントに提供することも可能であり、このような広告モジュールの提供方法や形態は、特に制限されない。
【０１２８】
一方、本発明によるスクロール・バーの位置情報を利用して広告データが再生されるようにする過程は、図６および図７の過程でより詳しく説明する。
【０１２９】
以下では、図６と図７を参照して、本発明の好ましい一実施形態による複数のオンライン広告提供方法が実現されるようにするスクロール・バーの位置情報を利用したオンライン広告の提供方法を説明する。
【０１３０】
図６は、本発明の好ましい一実施形態によって用いられるスクロール・バーの位置情報を利用したオンライン広告の提供方法が実現される順序を示すフローチャートである。
【０１３１】
図６は、前述した本発明の実施形態中、クライアント１００において、広告露出位置情報およびウェブブラウザのスクロール・バー位置情報を抽出し、広告サーバへは広告データだけを要請する場合を仮定したものである。
【０１３２】
図６に示すように、先ず、ウェブサイト１１０を通じて提供されるウェブ文書がクライアント１００に受信される（Ｓ６００）。
【０１３３】
受信したウェブページの一部または全部が、クライアント１００に設置されたウェブブラウザの画面を通じて提供される。
【０１３４】
このように受信したウェブページ内で広告が露出されるようにする位置情報を抽出する（Ｓ６０２）。
【０１３５】
一方、ユーザは、ウェブブラウザから提供されるユーザインターフェースにおいて、スクロール・バーを利用してウェブページを上下または左右に移動しながら、ウェブページ内の内容を確認するようになれば、スクロール・バーの位置情報が、好ましくは、本発明によるクライアント１００に設置される広告モジュールに入力される（Ｓ６０４）。
【０１３６】
一方、広告モジュールはスクリプトの形態で提供されるか、別途のプログラムとしてＡｃｔｉｖｅＸコントロール（ＡｃｔｉｖｅＸ  Ｃｏｎｔｒｏｌ）形態で設置されることができるということは前述した通りである。
【０１３７】
また、入力されるスクロール・バーの位置情報が予め設定された位置、すなわち、タグが存在するウェブページ内の位置にスクロール・バーが位置するか否かを判断し（Ｓ６０６）、タグが存在するウェブページ内の位置にスクロール・バーが位置する場合、ウェブページに含まれたタグによって、広告サーバ１２０に広告データを要請する（Ｓ６０８）。
【０１３８】
一方、タグによって、広告サーバ１２０に広告データを要請することは、タグが存在するウェブページ内の位置にスクロール・バーが位置する場合だけでなく、ウェブページ内でタグが存在する部分がウェブブラウザの画面に露出される場合にも行われることができる。
【０１３９】
例えば、ウェブページ内でタグが存在する部分、すなわち、広告露出位置を含むウェブページの一部がスクロール・バーの移動によって露出される場合に広告が提供されるようにするか、スクロール・バーの位置が正確に広告露出位置と一致する場合にだけ広告が提供されるようにすることが可能である。
【０１４０】
このような広告露出位置情報は、タグが挿入されたウェブページ内の位置情報として、ウェブページ内のタグが挿入された座標の情報であるか、またはウェブページ内のタグが挿入されたイメージやテキストのピクセルの位置情報（横ピクセルまたは／そして縦ピクセル）、より好ましくは、ピクセルの座標値情報を含む情報であってもよい。
【０１４１】
一方、広告サーバ１２０は、予め設定された広告データを転送することによって、広告データがクライアント１００のディスプレイ画面に表示されて再生されるようにする。
【０１４２】
また、スクロール・バーの位置が、タグが存在するウェブページ内の位置から脱した場合、広告サーバ１２０における広告データの転送を中断するか、広告データの再生を中断することができる。
【０１４３】
例えば、ユーザがウェブページをスクロール（ｓｃｒｏｌｌ）する間に、広告が提供される部分がウェブブラウザの画面から脱した場合、広告がこれ以上ユーザに提供されないようにする。
【０１４４】
このような広告データの転送および再生の中断は、クライアント１００の要請による広告サーバ１２０における広告データ転送の中断や、広告サーバ１２０における広告データ転送の中断有無に関係なくクライアント１００における広告データ再生の中断など、多様な方法で実施可能であることは明らかである。
【０１４５】
一方、ウェブページ内の広告は、広告が動画の形態で提供される場合、動画の停止画面またはイメージで提供され、スクロール・バーの位置に応じて動画が再生されるようにすることができる。
【０１４６】
また、ウェブページ内のテキスト形態で提供され、スクロール・バーの位置に応じてイメージや動画が再生されるようにすることもでき、ウェブページ内に何の表示も提供しないが、スクロール・バーの位置に応じてテキストやイメージまたは動画が表示または再生されるように構成することも可能であるということは明らかである。
【０１４７】
また、このような広告の再生は、ウェブページ内の一定領域における再生や、ウェブページの他にポップアップ（ｐｏｐ−ｕｐ）ウィンドウのような別途のウィンドウを通じて提供するなどの多様な形態で実施可能である。
【０１４８】
また、広告の再生は、前述したように、イメージやテキストの表示または動画や音声の再生などを全て含むことができるということは前述した通りである。
【０１４９】
また、このようなイメージやテキストがウェブページに含まれて提供される場合、該当イメージやテキストの広告データの再生がなされるようにするピクセルの位置情報が広告露出位置情報に含まれることができるということは前述した通りである。
【０１５０】
このような本発明の好ましい一実施形態による複数のオンライン広告提供を可能にするスクロール・バーの位置情報を利用したオンライン広告提供方法が実現される順序を図７の例示を通じて詳細に説明する。
【０１５１】
図７は、本発明の好ましい一実施形態による複数のオンライン広告提供を可能にするスクロール・バーの位置情報を利用したオンライン広告提供方法が実現される順序を例示によって示す例示図である。
【０１５２】
図７に例示したように、ステップ７００において、ウェブブラウザの画面を通じてユーザが最初に接する画面はウェブサーバを通じて受信したウェブページであり、図７に例示したように、広告露出位置７１０は全体ウェブページ７００内に含まれ、予め設定されている。
【０１５３】
ステップ７０２のように、ユーザが、ウェブページ７００を、スクロール・バーを利用して上下または左右に移動しながら、該当ウェブページ７００を見る。
【０１５４】
ステップ７０４において、ユーザが見るウェブページ、すなわち、ユーザに露出されるウェブページ内に広告が露出される位置７１０、すなわち、タグが挿入された部分がウェブブラウザの画面でユーザに露出される場合に、広告がユーザに露出されるようになる。
【０１５５】
このような広告がユーザに表示されることは、図７では該当広告が大きく表示されるものとして例示したが、広告が提供される方法に特に制限はない。
【０１５６】
一方、タグが挿入された部分、すなわち、広告露出位置がウェブブラウザの画面でユーザに露出されることは、スクロール・バーが、タグが挿入された部分に位置する場合だけでなく、前述したように、組み込みオブジェクトのタグが挿入された部分がウェブブラウザの画面でユーザに露出される場合も可能であることは前述した通りである。
【０１５７】
ステップ７０６でユーザが見るウェブページにおいて、広告露出位置がユーザに表示されるウェブページから無くなると、広告露出が中断される。
【０１５８】
勿論、ステップ７０６のような、ユーザが見るウェブページから広告露出位置が無くなると広告露出が中断されることは、広告が含まれる部分がウェブページ内の最端部に位置するか、ウェブページ内における広告露出方法などの設定によって含まれないこともあり得るということは明らかである。
【０１５９】
図７に例示したように、本発明によるスクロール・バーの位置情報を利用した広告提供方法によれば、ユーザがウェブページを見ている間、ユーザに該当ウェブページ部分が露出されるか、スクロール・バーが位置する場合にのみ広告が提供されるので、ユーザの広告に対する興味を高めることができる。
【０１６０】
それのみならず、ユーザがウェブページを見ている場合にのみ広告が露出されるので、広告効果の測定も容易に行うことができる。
【０１６１】
以下、クライアント１００は、ウェブブラウザ上のスクロール・バーの位置情報だけを転送し、広告サーバ１２０における広告提供有無の判断に応じて広告が提供される場合、広告サーバ１２０から広告を提供する広告提供部５１０の構成を図８を参照して説明する。
【０１６２】
図８は、本発明の好ましい一実施形態によって広告サーバ１２０に含まれる広告提供部５１０の構成を示す図である。
【０１６３】
本発明の好ましい一実施形態により、広告提供部５１０は、スクロール・バー位置情報入力部８００、ウェブページ・タグ情報入力部８１０、広告再生判断部８２０および通信部８３０を含むことができる。
【０１６４】
先ず、スクロール・バー位置情報入力部８００は、ウェブブラウザウィンドウに位置して、上下または左右に画面を移動できるスクロール・バー位置情報をクライアント１００から受信して入力される。
【０１６５】
ウェブページ・タグ情報入力部８１０は、ウェブサイト１１０からクライアント１００に受信され、ウェブブラウザを通じて提供されるウェブ文書内に含まれた広告露出位置情報または広告が提供されるようにするウェブ文書内のタグ情報を、クライアント１００からまたはウェブサイト１１０から受信して入力される。
【０１６６】
広告再生判断部８２０は、スクロール・バー位置情報入力部８１０で入力されたスクロール・バー位置情報とウェブページ・タグ情報入力部８２０で入力されたタグ情報に応じて、スクロール・バーの位置が広告露出位置と一致するか否かを判断して、広告サーバ１２０からクライアント１００に広告データを転送するか否かを判断する。このような判断は、結局、クライアント１００における広告データの再生有無を決定するのと同様である。
【０１６７】
また、広告再生判断部８２０の判断によって広告が提供されるべきである場合、クライアント１００に広告データが転送され、転送された広告データはクライアント１００において再生される。
【０１６８】
通信部８３０は、スクロール・バー位置情報とウェブページ・タグ情報、すなわち広告露出位置情報を受信し、クライアント１００に広告データを転送する。
【０１６９】
一方、クライアント１００が、ウェブブラウザ上のスクロール・バーの位置情報とウェブページ内の広告露出位置情報を利用して広告提供有無を判断し、広告サーバ１２０へは広告データの転送だけを要請することも可能である。
【０１７０】
この場合、図８において、スクロール・バー位置情報入力部４００、ウェブページ・タグ情報入力部４１０および広告再生判断部４２０の機能はクライアント１００に含まれることができ、このような機能は前述した広告モジュールに含まれ、プログラムの形態でクライアント１００に設置できることは明らかである。
【０１７１】
一方、以上の説明では、広告サーバ１２０から広告を提供する広告提供部５１０が含まれるものとして説明したが、このような広告提供部５１０は、別途の装置で構成されるか、広告サーバ１２０に本発明で用いるスクロール・バーの位置情報を利用したオンライン広告提供方法が実現されたプログラムを設置する形態で実現することができるということは明らかである。
【０１７２】
本発明の好ましい実施形態は例示の目的で開示されたものであって、本発明に対して通常の知識を有した当業者であれば、本発明の思想と範囲内で多様な修正、変更、付加が可能であり、このような修正、変更および付加は下記の特許請求の範囲に属するとみなすべきである。
【図１】
0005389256.tif 000002
【図２】
0005389256.tif 000003
【図３】
0005389256.tif 000004
【図４】
0005389256.tif 000005
【図５】
0005389256.tif 000006
【図６】
0005389256.tif 000007
【図７】
0005389256.tif 000008
【図８】
0005389256.tif 000009